(57)【要約】      （修正有）【課題】人体の骨折部や捻挫部あるいは陶磁器の破損部などを単純な操作で固めるための固定用具を提供しようとするもので、上記骨折部などの表面に下地シートを介して固定用の速乾性流動物を能率よく一様な厚さに施せるようにした固定用具を提供する。【解決手段】人体の捻挫部に施される下地シートの上に速乾性流動物を均一な厚さで施すために、チューブ２の流動物出口４の開口面４ａが高さよりも横幅の大きい偏平な形状を有し、その偏平な方向と同一方向の把手５ａを備えた環状体５がチューブ２において開口部５ｃの近傍に設けられる。チューブ２の尾部には、ノブ６ａ付き絞り出し部材６が、偏平な流動物出口４の開口面４ａの長手方向と平行に設けられる。【選択図】図１
0003130709.tif 000002
【実用新案登録請求の範囲】
【請求項１】
柔軟性を有して被固定部の外周に巻き付けられるべくコイル状に巻かれた一定幅の下地シートと、上記被固定部の外周に巻き付けられた上記下地シートの外周面に塗布すべく短時間硬化機能を有する速乾性流動物を封入された細長い形状の押出し式チューブとの組み合わせからなり、同チューブの長手方向の一端において開放可能の密栓を施された開口部における流動物出口が、高さよりも横幅の大きい偏平な開口面を備えていることを特徴とする、固定用具。
【請求項２】
上記開口部の近傍で上記チューブの本体外周部に装着された把手付き環状体を備えていることを特徴とする、請求項１に記載の固定用具。
【請求項３】
上記把手付き環状体における把手が、上記チューブの長手方向と直角をなす方向に左右へ突出した棒状把手として形成されて、同棒状把手の長手方向が上記流動物出口における偏平な開口面の長手方向と平行に設定されていることを特徴とする、請求項２に記載の固定用具。
【請求項４】
上記チューブの長手方向の尾部に、同チューブの長手方向と直角をなす方向に装着されたチューブ巻取り式の剛性の絞り出し部材をそなえていることを特徴とする、請求項１に記載の固定用具。
【請求項５】
上記絞り出し部材の長手方向が、上記流動物出口における偏平な開口面の長手方向と平行に設定されて、同絞り出し部材の一端に巻取り駆動用ノブが設けられていることを特徴とする、請求項４に記載の固定用具。
【考案の詳細な説明】
【技術分野】
【０００１】
本考案は、人体の骨折部や陶磁器の破断部などを原形に固めるための固定用具に関する。
【背景技術】
【０００２】
従来、人体の捻挫部や骨折部あるいは挫傷（肉離れ）部分などを固定したり陶磁器の破断部分を修復したりする場合に、当該部分にガーゼなどを巻き付け、同ガーゼの外周面に流動性の固定材を塗布した後、コールドスプレーをかけて固めることが行われていた。
しかしながら、上記固定材を一様に塗布するには熟練を必要とし、またコールドスプレーを吹き付ける手段では、周囲に弊害をもたらすという不具合がある。
そこで、人体に装着される絆創膏のごとき粘着テープの利用も考えられるが、粘着テープは可撓性を有するため、一定の形状を保持するための固定用具としては扱いにくいという不具合がある。
また、硬化性樹脂を含浸させた布巾裏材料を含む整形用テープの開発も行われているが、同テープの骨折部などへの巻き付け操作には熟練を要するという不具合がある。
【特許文献１】特表２０００−５１２８６９号公報
【非特許文献１】株式会社  高分子刊行会  １９７８年６月２５日初版発行  福沢敬司著  「新高分子文庫１３  粘着技術」
【考案の開示】
【考案が解決しようとする課題】
【０００３】
本考案は、人体の骨折部や捻挫部あるいは陶磁器の破損部などを単純な操作で固めるための固定用具を提供しようとするもので、上記骨折部などの表面に下地シートを介して固定用の速乾性流動物を能率よく一様な厚さに施せるようにした固定用具を提供することを課題とする。
【課題を解決するための手段】
【０００４】
前述の課題を解決するため、本考案の固定用具は、柔軟性を有して被固定部の外周に巻き付けられるべくコイル状に巻かれた一定幅の下地シートと、上記被固定部の外周に巻き付けられた上記下地シートの外周面に塗布すべく短時間硬化機能を有する速乾性流動物を封入された細長い形状の押出し式チューブとの組み合わせからなり、同チューブの長手方向の一端において開放可能の密栓を施された開口部における流動物出口が、高さよりも横幅の大きい偏平な開口面を備えていることを特徴としている。
【０００５】
また、本考案の固定用具は、上記開口部の近傍で上記チューブの本体外周部に装着された把手付き環状体を備えていることを特徴としている。
【０００６】
さらに、本考案の固定用具は、上記把手付き環状体における把手が、上記チューブの長手方向と直角をなす方向に左右へ突出した棒状把手として形成されて、同棒状把手の長手方向が上記流動物出口における偏平な開口面の長手方向と平行に設定されていることを特徴としている。
【０００７】
また、本考案の固定用具は、上記チューブの長手方向の尾部に、同チューブの長手方向と直角をなす方向に装着されたチューブ巻取り式の剛性の絞り出し部材をそなえていることを特徴としている。
【０００８】
さらに、本考案の固定用具は、上記絞り出し部材の長手方向が、上記流動物出口における偏平な開口面の長手方向と平行に設定されて、同絞り出し部材の一端に巻取り駆動用ノブが設けられていることを特徴としている。
【考案の効果】
【０００９】
上述の本考案の固定用具では、人体の腕などの捻挫部などを固定する場合、まずコイル状に巻かれた柔軟性の下地シートを巻き戻しながら患部に適宜の層数まで巻き付け、ついで同シートの表面にチューブ入りの速乾性流動物を押し出しながら塗布する操作が行われる。その際、上記チューブにおける密栓を外して、その流動物出口の横幅の大きい偏平な開口面から押し出される流動物の偏平な形態により、その塗布面への塗布操作が効率よく行われるようになる。そして、上記流動物の速乾性により、上記捻挫部などの固定を短時間で行うことが可能になる。
【００１０】
また、上記チューブの開口部近傍で同チューブの本体外周部に装着された把手付き環状体が設けられていると、上記チューブから流動物を押し出す際に、上記環状体における把手を把持して上記流動物の押し出し操作を簡便に行うことができる。
【００１１】
さらに、上記環状体における把手が上記チューブの長手方向と直角をなす方向に左右へ突出した棒状把手として形成されて、同棒状把手の長手方向が上記流動物出口における偏平な開口面の長手方向と平行に設定されていると、上記流動物出口から流動物を押し出す際に、同流動物の偏平な向きを容易に確認することができ、これにより上記棒状把手の長手方向を調整しながら、上記流動物の塗布操作を能率よく的確に行うことが可能になる。
【００１２】
また、上記チューブの長手方向の尾部に、同チューブの長手方向と直角をなす方向に装着されたチューブ巻取り式の剛性の絞り出し部材が設けられることにより、同絞り出し部材を回転させながら同絞り出し部材に上記チューブを巻き付けるようにして、同チューブ内の流動物を上記流動物出口の方へしごくことができ、このようにして上記流動物出口からの上記流動物の押し出し操作を簡便に行うことができる。
【００１３】
そして、上記絞り出し部材の長手方向が上記流動物出口における偏平な開口面の長手方向と平行に設定されるとともに、同絞り出し部材の一端に巻取り駆動用ノブが設けられることによって、上記チューブからの上記流動物の偏平な形態での押し出し操作が、上記ノブの回転操作に伴い能率よく行われるようになる。
【実施例】
【００１４】
図１は本考案の一実施例としての固定用具における速乾性流動物入りチューブを示す斜視図、図２は上記チューブと共に固定用具を構成する下地シートのコイル状に巻かれた状態を示す斜視図であり、図３は上記固定用具を用いて捻挫部を固定された手首を示す説明図である。
【００１５】
図２に示すように、柔軟性および通気性を有して図３に示す手首の捻挫部Ａなどの被固定部の外周に巻き付けるための一定幅の通気性を有する下地シート１が、固定用具の一部としてコイル状に巻かれた状態で備えられている。
【００１６】
そして、固定用具の他の用品として、被固定部の外周に巻き付けられた下地シート１の外周面に塗布できるように、図１に示すような短時間硬化機能を有する速乾性流動物（例えば溶剤の揮発により硬化する高分子溶液としての接着剤）Ｆを封入された細長い形状の押し出し式チューブ２が備えられている。
【００１７】
チューブ２は、その長手方向の一端において開放可能の雌ねじ付き密栓３を施されるべく外周に雄ねじ部を有する開口部５ｃを備え、同開口部５ｃにおける流動物出口４は、高さよりも横幅の大きい偏平な開口面４ａを備えている。
【００１８】
なお、本実施例では、流動物Ｆの塗布を行いやすいように、開口部５ｃから突出した偏平な方形断面を有する角筒部５ｄの先端に開口面４ａが形成されている。
また、開口部５ｃの近傍において、チューブ２の本体外周部に固着された把手５ａ付き環状体５が設けられている。
【００１９】
そして、把手５ａ付き環状体５において、把手５ａは、チューブ２の長手方向と直角をなす方向に左右へ突出した棒状把手として、支柱５ｂを介し装備されており、このようにして設けられる棒状把手５ａの長手方向は、流動物出口４における偏平な開口面４ａの長手方向と平行に設定されている。
【００２０】
さらに、チューブ２の長手方向の尾部に、同チューブ２の長手方向と直角をなす方向に装着されたチューブ巻取り式の剛性の絞り出し部材６が設けられている。
そして、絞り出し部材６の長手方向は、流動物出口４における偏平な開口面４ａの長手方向と平行に設定されて、同絞り出し部材６の一端にはディスク状の巻取り駆動用ノブ６ａが設けられている。
【００２１】
上述の本実施例の固定用具では、人体の腕や手首などの捻挫部Ａや骨折部を固定する場合、まずコイル状に巻かれた柔軟性の下地シート１を巻き戻しながら患部に適宜の層数まで巻き付け、ついで同シート１の表面にチューブ２入りの速乾性流動物Ｆを押し出しながら塗布する操作が行われる。その際、チューブ２における密栓３を外して、その流動物出口４の横幅の大きい偏平な開口面４ａから押し出される流動物Ｆの偏平な形態により、その塗布面への塗布操作が効率よく行われるようになる。そして、流動物Ｆの速乾性により、捻挫部Ａなどの固定を短時間で行うことが可能になる。
【００２２】
また、チューブ２の開口部５ｃ近傍で同チューブ２の本体外周部に装着された把手５ａ付き環状体５が設けられているので、チューブ２から流動物Ｆを押し出す際に、環状体５における把手５ａを把持して流動物Ｆの押し出し操作を簡便に行うことができる。
【００２３】
さらに、環状体５における把手５ａがチューブ２の長手方向と直角をなす方向に左右へ突出した棒状把手として形成されて、同棒状把手５ａの長手方向が流動物出口４における偏平な開口面４ａの長手方向と平行に設定されているので、流動物出口４から流動物Ｆを押し出す際に、同流動物Ｆの偏平な向きを容易に確認することができ、これにより棒状把手５ａの長手方向を調整しながら、上記流動物の塗布操作を能率よく的確に行うことが可能になる。
【００２４】
また、チューブ２の長手方向の尾部に、同チューブ２の長手方向と直角をなす方向に装着されたチューブ巻取り式の剛性の絞り出し部材６が設けられることにより、同絞り出し部材６を回転させながら同絞り出し部材６にチューブ２を巻き付けるようにして、同チューブ２内の流動物Ｆを流動物出口４の方へしごくことができ、このようにして流動物出口４からの流動物Ｆの押し出し操作を簡便に行うことができる。
【００２５】
そして、絞り出し部材６の長手方向が流動物出口４における偏平な開口面４ａの長手方向と平行に設定されるとともに、同絞り出し部材６の一端に巻取り駆動用ノブ６ａが設けられることによって、チューブ２からの流動物Ｆの偏平な形態での押し出し操作が、ノブ６ａの回転操作に伴い能率よく行われるようになる。
なお、上述の本実施例の固定用具は、人体のみならず、陶磁器の破断部などについて接着を行う場合にも、その接着が完了するまでの固定のために適用することができる。
【図面の簡単な説明】
【００２６】
【図１】本考案の一実施例としての固定用具における速乾性流動物入りチューブを示す斜視図である。
【図２】上記チューブと共に固定用具を構成する下地シートのコイル状に巻かれた状態を示す斜視図である。
【図３】手首の捻挫部に上記固定用具を用いて処置を施した状態を示す説明図である。
【符号の説明】
【００２７】
１  下地シート
２  チューブ
３  密栓
４  流動物出口
４ａ  開口面  
５  環状体
５ａ  把手
５ｂ  支柱
５ｃ  開口部
５ｄ  角筒部
６  絞り出し部材
６ａ  巻き取り駆動用ノブ
Ａ  捻挫部
Ｆ  速乾性流動物
【図１】
0003130709.tif 000003
【図２】
0003130709.tif 000004
【図３】
0003130709.tif 000005